(57)【要約】【課題】  屋上の棟方向にクロスフロー型ファン（横長型水平軸羽根車）を設置し、自然風を大量に取込み、かつ傾斜屋根で発生する上昇気流で、効率的な発電を図ることを意図する。この発明は、単に屋上にクロスフロー型ファンを設置した構造であり、特段の効果は期待できないと考えられる。また、実用的でないと考えられる。【解決手段】  本発明は、建屋の躯体と屋根の空間に、風胴を形成し、風胴の収歛部に羽根車を軸止し、羽根車の回転軸に発電機を連繋し、風胴、羽根車、並びに発電機を、風胴を、前記屋根の仕組みに適合可能とする構成とした風力発電機であり、自然風を、全方向性の風胴により、効率よく捉え、風車に送れるので、発電効率がよい。【選択図】      図１−２
2014159799.tif 000002
【特許請求の範囲】
【請求項１】
建屋の躯体と屋根の空間に、風胴を形成し、この風胴の収歛部に羽根車を軸止し、この羽根車の回転軸に発電機を連繋し、該風胴を、前記屋根の全方向に開口することで、風向きに関係なく、該風胴に風を導入することで、一定の発電量を達成可能とする構成とした風力発電機。
【請求項２】
請求項１に記載の風力発電機であって、
前記風胴は、前記建物の躯体に設けた山形形状の第一ユニットと、この第一ユニットに被嵌される第二ユニットで構成し、この第一・第二ユニットで形成される環状羽根車室に、前記羽根車を配備する構成とした請求項１に記載の風力発電機。
【請求項３】
請求項１に記載の風力発電機であって、
前記風胴は、受入通路と、排気通路の組合せ構造とする構成とした請求項１に記載の風力発電機。
【請求項４】
請求項１に記載の風力発電機であって、
前記風胴に設けた排気通路は、空間に向かって立設した、煙突に連結する構成とした請求項１に記載の風力発電機。
【請求項５】
請求項１に記載の風力発電機であって、
前記風胴は、受入通路と、排気通路には、それぞれ雨仕舞い手段を設ける構造とする構成とした請求項１に記載の風力発電機。
【請求項６】
請求項１に記載の風力発電機であって、
前記羽根車は、対の構造とし、この対の羽根車を、前記環状羽根車室に垂設した回転軸に、組付ける構成とした請求項１に記載の風力発電機。
【請求項７】
請求項１に記載の風力発電機であって、
前記羽根車は、一組の構造とし、この羽根車を、前記環状羽根車室に垂設した回転軸に、組付ける構成とした請求項１に記載の風力発電機。
【請求項８】
請求項１に記載の風力発電機であって、
前記第一・第二ユニットと、前記羽根車は、樹脂製とする構成とした請求項１に記載の風力発電機。
【請求項９】
請求項１に記載の風力発電機であって、
前記風胴の開口方向に、ディフューザー、シャッタ、衝突板を設け、風雨量調整可能とする構成とした請求項１に記載の風力発電機。
【発明の詳細な説明】
【技術分野】
【０００１】
本発明は、自然エネルギーを利用した、エコロジーの風力発電装置の風力発電機に関する。
【背景技術】
【０００２】
本発明が、提案する風力発電装置（風力発電機）において、自然風を、如何に効率よく受入れ、かつこの受入れた風（風）を利用して、羽根車（風車）を回転すること、並びに強風時の対策が重要課題であり、この問題をクリアすることで、この種の風力発電装置の有効性が確立される。そこで、本発明では、「イ」  自然風を、全方向性の風胴により、効率よく捉え、風車に送ること、効率的な発電を図ること、「ロ」  風胴の収歛部で、かつ屋根勾配の頂点で捉えるフライホイール方式（対の風車方式で、相互に関連した動きをする方式）を採用すること、「ハ」  強風を、ディフューザーでコントロールし、風量調整可能とし、装置の損傷・騒音・飛散等の回避を図ること、「ニ」  環状風車室に風車を配備することで、騒音発生回避と、夜間における近隣への迷惑防止、環境破壊解消を図ること、等を意図する。
【０００３】
本発明が意図する、風胴構造と、風胴と風車の組合せ構造を具体的に示す文献は、見当たらないが、関連するエコロジーの風力発電装置と考えられる、先行文献を検討する。
【０００４】
文献（１）は、特開２００３−１２９９４１号公報において、屋上の棟方向にクロスフロー型ファン（横長型水平軸風車）を設置し、自然風を大量に取込み、かつ傾斜屋根で発生する上昇気流で、効率的な発電を図ることを意図する。この発明は、単に屋上にクロスフロー型ファンを設置した構造であり、特段の効果は期待できないと考えられる。また、実用的でなく、かつ強風時の対策不足と考えられる。
【０００５】
文献（２）は、特開２００５−２０７２８８号公報において、片流れ屋根の端部（屋上方向の軒先）に、かつその棟方向に、複数基のクロスフロー型ファンを配備し、この軒先に、自然風を集積し、集風効果を図り、効率的な発電を図ることを意図する。しかし、この発明は、文献（１）と同じような問題を抱えている。
【０００６】
また、文献（３）は、特開２００２−２５７０２９号公報において、屋上の棟（稜線）方向に、集風ダクトとクロスフロー型ファンを設置し、自然風を大量に取込み、かつ傾斜屋根の風の流れ利用して、風を集束し、効率的な発電を図ることを意図する。しかし、この発明は、単に屋上にクロスフロー型ファン等を設置した構造である。また、この発明は、文献（１）と同じような問題を抱えている。
【０００７】
そして、文献（４）は、特開平１１−１０７９０７号公報において、温対流か上昇気流が発生する管体を配備し、この管体内にファンを設置し、このファンの回転を介して、発電機を駆動し、発電する構造である。しかし、この発明では、管体を流れる温対流か上昇気流により、ファンを回転する構造であり、その発電量は、微少であり、実用に供しないと考えられる。
【０００８】
【特許文献１】特開２００３−１２９９４１号公報
【特許文献２】特開２００５−２０７２８８号公報
【特許文献３】特開２００２−２５７０２９号公報
【特許文献４】特開平１１−１０７９０７号公報
【発明の概要】
【発明が解決しようとする課題】
【０００９】
前述した如く、文献（１）〜文献（４）においては、自然風の受入が、確実、かつ効率的でなく、発電量の拡充が、期待でない。殊に、羽根車が、自然風の流れ方向に順応する構造でなく、その風の量が、当然に少なくなるものと考えられる。
【００１０】
そこで、本発明は、この文献（１）〜文献（４）では、成し得なかった、前記「イ」〜「ニ」の意図（効果）を達成する。
【課題を解決するための手段】
【００１１】
そのために、本発明では、下記の請求項１〜９を提案する。この提案を下記に示す。
【００１２】
請求項１は、建屋の躯体と屋根の空間に、風胴を形成し、この風胴の収歛部に羽根車を軸止し、この羽根車の回転軸に発電機を連繋し、該風胴を、前記屋根の全方向に開口することで、風向きに関係なく、該風胴に風を導入することで、一定の発電量を達成可能とするとともに、この風胴、該羽根車、並びに該発電機を、該屋根の仕組みに適合可能とする構成とした風力発電機である。
【００１３】
請求項２は、請求項１に記載の風力発電機であって、
前記風胴は、前記建物の躯体に設けた山形形状の第一ユニットと、この第一ユニットに被嵌される第二ユニットで構成し、この第一・第二ユニットで形成される環状羽根車室に、前記羽根車を配備する構成とした請求項１に記載の風力発電機である。
【００１４】
請求項３は、請求項１に記載の風力発電機であって、
前記風胴は、受入通路と、排気通路の組合せ構造とする構成とした請求項１に記載の風力発電機である。
【００１５】
請求項４は、請求項１に記載の風力発電機であって、
前記風胴に設けた排気通路は、空間に向かって立設した、煙突に連結する構成とした請求項１に記載の風力発電機である。
【００１６】
請求項５は、請求項１に記載の風力発電機であって、
前記風胴は、受入通路と、排気通路には、それぞれ雨仕舞い手段を設ける構造とする構成とした請求項１に記載の風力発電機である。
【００１７】
請求項６は、請求項１に記載の風力発電機であって、
前記羽根車は、対の構造とし、この対の羽根車を、前記環状羽根車室に垂設した回転軸に、組付ける構成とした請求項１に記載の風力発電機である。
【００１８】
請求項７は、請求項１に記載の風力発電機であって、
前記羽根車は、一組の構造とし、この羽根車を、前記環状羽根車室に垂設した回転軸に、組付ける構成とした請求項１に記載の風力発電機である。
【００１９】
請求項８は、請求項１に記載の風力発電機であって、
前記第一・第二ユニットと、前記羽根車は、樹脂製とする構成とした請求項１に記載の風力発電機である。
【００２０】
請求項９は、請求項１に記載の風力発電機であって、
前記風胴の開口方向に、ディフューザー、シャッタ、衝突板を設け、風雨量調整可能とする構成とした請求項１に記載の風力発電機である。
【発明の効果】
【００２１】
請求項１の発明は、建屋の躯体と屋根の空間に、風胴を形成し、風胴の収歛部に羽根車を軸止し、羽根車の回転軸に発電機を連繋し、風胴を、屋根の全方向に開口することで、風向きに関係なく、風胴に風を導入することで、一定の発電量を達成可能とするとともに、風胴、羽根車、並びに発電機を、屋根の仕組みに適合可能とする構成とした風力発電機である。
【００２２】
従って、請求項１では、下記の効果がある。
「イ」  自然風を、全方向に開口する風胴により、効率よく捉え、羽根車（風車）に送ることで、効率的な発電が図れる。
「ロ」  風胴の収歛部で、かつ屋根勾配の頂点で捉えるフライホイール方式（対の風車方式で、相互に関連した動きをする方式）を採用できる。
「ハ」  強風を、ディフューザー、シャッタ等でコントロールし、風量調整可能とし、装置の損傷・騒音・飛散等の回避が図れる。
「ニ」  環状風車室に風車を配備することで、騒音発生回避と、夜間における近隣への迷惑防止、環境破壊解消が図れる。
【００２３】
請求項２の発明は、請求項１に記載の風力発電機であって、
風胴は、建物の躯体に設けた山形形状の第一ユニットと、第一ユニットに被嵌される第二ユニットで構成し、第一・第二ユニットで形成される環状羽根車室に、羽根車を配備する構成とした請求項１に記載の風力発電機である。
【００２４】
従って、請求項２は、前記「イ」〜「ニ」の他に、下記の効果がある。
「ホ」  前記「イ」〜「ニ」の目的を達成できる、風胴構造を提供できる。
【００２５】
請求項３の発明は、請求項１に記載の風力発電機であって、
風胴は、受入通路と、排気通路の組合せ構造とする構成とした請求項１に記載の風力発電機である。
【００２６】
従って、請求項３は、前記「イ」〜「ニ」の他に、下記の効果がある。
「ヘ」  前記「イ」〜「ニ」の目的を達成できる、風胴の仕組み提供できる。
【００２７】
請求項４の発明は、請求項１に記載の風力発電機であって、
風胴に設けた排気通路は、空間に向かって立設した、煙突に連結する構成とした請求項１に記載の風力発電機である。
【００２８】
従って、請求項４は、前記「イ」〜「ニ」の他に、下記の効果がある。
「ト」  前記「イ」〜「ニ」の目的を達成できる、風胴の排気通路構造を提供できる。
【００２９】
請求項５の発明は、請求項１に記載の風力発電機であって、
風胴は、受入通路と、排気通路には、それぞれ雨仕舞い手段を設ける構造とする構成とした請求項１に記載の風力発電機である。
【００３０】
従って、請求項５は、前記「イ」〜「ニ」の他に、下記の効果がある。
「チ」  前記「イ」〜「ニ」の目的を達成できる、風胴の雨仕舞い構造を提供できる。
【００３１】
請求項６の発明は、請求項１に記載の風力発電機であって、
羽根車は、対の構造とし、対の羽根車を、環状羽根車室に垂設した回転軸に、組付ける構成とした請求項１に記載の風力発電機である。
【００３２】
従って、請求項５は、前記「イ」〜「ニ」の他に、下記の効果がある。
「リ」  前記「イ」〜「ニ」の目的を達成できる、羽根車構造を提供できる。
【００３３】
請求項７の発明は、請求項１に記載の風力発電機であって、
羽根車は、一組の構造とし、羽根車を、環状羽根車室に垂設した回転軸に、組付ける構成とした請求項１に記載の風力発電機である。
【００３４】
従って、請求項７は、前記「イ」〜「ニ」の他に、下記の効果がある。
「ヌ」  前記「イ」〜「ニ」の目的を達成できる、羽根車の組付け構造を提供できる。
【００３５】
請求項８の発明は、請求項１に記載の風力発電機であって、
第一・第二ユニットと、羽根車は、樹脂製とする構成とした請求項１に記載の風力発電機である。
【００３６】
従って、請求項８は、前記「イ」〜「ニ」の他に、下記の効果がある。
「ル」  前記「イ」〜「ニ」の目的を達成できる、羽根車素材を提供できる。
【００３７】
請求項９の発明は、請求項１に記載の風力発電機であって、
風胴の開口方向に、ディフューザー、シャッタ、衝突板を設け、風雨量調整可能とする構成とした請求項１に記載の風力発電機である。
【００３８】
従って、請求項９は、前記「イ」〜「ニ」の他に、下記の効果がある。
「ヲ」  風胴（吸込口）への風雨量調整と、強風雨時の装置の保護と、騒音解消に有効である。
【図面の簡単な説明】
【００３９】
【図１−１】本発明の風力発電装置を、建屋に付設した基本構造であって、その要部の模式図
【図１−２】第一実施例を示しており、対の風車構造の一例を分解して示した模式図
【図２】建屋の周辺の風胴の開口方向（開口と、その内部側）にディフューザー、シャッタ、衝突板を設け、風雨量調整可能とする構成を示した拡大模式図と、そのディフューザーの分解図
【図２−１】図１−１の側面模式図
【図２−２】図２−１のイ−イ端面図
【図２−２−１】図２−２のハ−ハ端面図
【図２−３】図２−２のロ−ロ端面図
【図２−３−１】図２−３のニ−ニ端面図
【図２−４】図２−３のホ−ホ端面図
【図２−５】羽根車の正面模式図
【図２−５−１】図２−５のヘ−ヘ端面図
【図２−６】羽根車の側面模式図
【図２−６−１】図２−６のト−ト端面図
【図３−１】第一実施例の風胴に対して、無風状態における流と、羽根車の旋回を示した平面模式図
【図３−２】第一実施例の風胴に対して、４５°方向状態における流と、羽根車の旋回を示した平面模式図
【図３−３】第一実施例の風胴に対して、６０°方向状態における流と、羽根車の旋回を示した平面模式図
【図４−１】第二実施例の側面模式図
【図４−２】図４−１のチ−チ端面図
【図４−２−１】図４−２のリ−リ端面図
【図４−２−２】図４−２の第二実施例において、風胴に風通路を構成する例を示した端面図
【図４−３】図４−２のヌ−１（２）−ヌ−１（２）端面図
【図４−３−１】図４−３のヌ−１−ヌ−１端面図
【図４−４】図４−３のヌ−２−ヌ−２端面図
【図４−５】羽根車の正面模式図
【図４−５−１】図４−５のル−ル端面図
【図５−１】第三実施例の側面模式図
【図５−２】図５−１のヲ−ヲ端面図
【図６−１】第四実施例の側面模式図
【図６−２】図６−１のワ−ワ端面図
【図７−１】第五実施例の側面模式図
【図７−２】図７−１の風受入側を示した模式図
【図７−３】図７−１の要部の端面図
【図８】建屋（屋根、壁等）に、風力発電装置を修理、取換等の出入口を設けた模式図
【図９】本発明の目的と、構造の流れ、並びにその特徴を説明する図
【図１０】開口方向に設けたディフューザー、シャッタ、衝突板で、吸込開口における、風雨量調整可能とする構成を利用する際に、その組合せと、この組合せにする特徴を分かり易い説明する図
【発明を実施するための形態】
【００４０】
図１−１〜図３−３に示した、基本構造と、第一実施例について説明する。図１−１は、基本構造であり、かつ本発明の重要な要素を備えている。即ち、後述する風胴への受入風Ｂをコントロール装置が敷設されている。即ち、ディフューザー１が設けられており、このディフューザー１は、水平方向の水平フィン１−１と、数直方向の垂直フィン１−２の組合せであり、この水平フィン１−１、及び／又は、垂直フィン１−２（セパレーター）を制御することで、風をコントロールする。具体的には、強風時の風量制御を図り、装置の損傷と騒音回避である。この水平フィン１−１、及び／又は、垂直フィン１−２は、図示しない、風力センサー、人力、又は自動制御等の組合せか、それぞれ単独制御を利用する。図１−２に略示するが、水平フィン１−１、及び／又は、垂直フィン１−２は、風胴２の開口２００に、一方向の傾斜、又は、特殊な傾斜（開口２００の中心は、鉛直で、両端に向かって、末広がり傾斜）等の、各風雨対応の傾斜・傾斜方向性を備えることが良い。図中３は樋を示す。また、図１−２に示す如く、建屋Ａの躯体Ａ１と屋根Ａ２の間に空間Ａ３を形成し、この空間Ａ３に、山形形状の第一ユニットＸと、山形形状の第二ユニットＹを設置し、この第一・第二ユニットＸ、Ｙを、接合手段を利用し、躯体Ａ１と屋根Ａ２間に設置する。また、第一・第二ユニットＹとの間に、全方向に開口（開放端部の開口全面積）する風胴２と、環状羽根車室５を形成する。建屋Ａ（屋根の構造、方向等は限定されない）の躯体Ａ１と屋根Ａ２の間に形成された空間Ａ３を利用して、風力発電装置を設置する構造であることから、美観確保と、騒音対策、並びに雨仕舞い向上等に有益性がある。また、風胴２への受入風Ｂ、殊に受入雨（水）をコントロール装置が敷設されている。例えば、シャッタ１ａとか、衝突板１ｂが最適な方向であり、風胴の鉛直方向、及び／又は棟方向に、一枚、又は数枚シャッタ１ａを設け、このシャッタ１ａに、各種形状（丸孔、角孔、スリット等）の孔１ａ１を形成し、雨水並びに風をコントロールする。また、風胴の傾斜底面に、衝突板１ｂを一段、又は数段設ける。この衝突板１ｂを利用し、雨水並びに風をコントロールする。また、この衝突板１ｂの傾斜角度θを可変することと、可撓性、及び／又は、湾曲性に変化を持たせる構造も有り得る。
【００４１】
尚、図１−２に示した如く、風胴２の開口２００から導入する風の質量を検討すると、イ位置と、ロ位置において、次のような式が成り立ち、一定の風量（発電量）を可能とする。
【００４２】
Ｑ＝Ｓイ（面積）・Ｖイ（風速）・Ｐイ（圧力）・〆イ（密度）＝
Ｓロ（面積）・Ｖロ（風速）・Ｐロ（圧力）・〆ロ（密度）
この第一ユニットＸには、全方向に開口する風胴２形成用第一溝１００を有しており、この第一溝１００は、開放端部１００ａが広く、収歛部１００ｂ（頂点のやや下側の位置とする）が狭い構造とし、流速を増速する構造である。また、収歛部１００ｂの中心部は、球体形状、又は環状等でなる羽根車室５（シュラウド）の下側凹部１００ｃ（第一凹部）が形成されている。また、この第一ユニットＸには、逆山形形状の第二ユニットＹを設置する。この第二ユニットＹには、全方向に開口する風胴２形成用第二溝３００を有しており、この第二溝３００は、開放端部３００ａが広く、収歛部３００ｂ（頂点のやや下側の位置とする）が狭い構造とし、流速を増速する構造である。また、収歛部３００ｂの中心部は、環状羽根車室５の上側凹部３００ｃ（第二凹部）が形成されている。尚、開放端部１００ａ、３００ａには、風雨の衝突回避、音発生回避等を無くす為に、例えば、曲面形状、通過孔等の手段を採用する。例えば、図３−１〜図３−３と、図４−２−２に示されている。
【００４３】
前記第一ユニットＸの受入風Ｂの抵抗がなく、及び／又は、音の発生が少ない構造を備えた（以下同じ）第一溝１００と、第二ユニットＹの受入風Ｂの抵抗がなく、及び／又は、音の発生が少ない構造を備えた（以下同じ）第二溝３００が合体することにより、例えば、図２−２に示す山形形状の風胴２が形成される。この風胴２は、屋根Ａ２の軒先方向２ａが広く、棟方向２ｂが狭い構造であり、かつ風の流れをスムーズとすること、抵抗を失くすこと、又は騒音発生回避等を意図して、曲面壁とするとともに、この曲面壁が対峙する構造とする。
【００４４】
前記羽根車室５には、図１−２に示した、立設形成した筐体形状でなる主軸６と、この主軸６直交し、かつ筐体に架承した筒体、及び、この筒体に設けたベアリングを備えた回転軸７を利用して、対の羽根車８、８が回転自在に架承される。従って、風胴２に取り入れた（受け入れた）受入風Ｂが、この羽根車室５に流入される（流れ込む）ことで、羽根車８を回転する。図中８００は羽根を示す。例えば、羽根８００は、羽根車室５の球体形状に整合するように、外方側が小径で、中心方向（主軸６の方向）が大径とする。即ち、対の羽根車８が、概、小判形状となっている（図２−５参照）。
【００４５】
また、躯体Ａ１と、第一・第二ユニットＸ・Ｙ、並びに屋根Ａ２（これらを総称して、構成部材とする）を、一体に施工することを意図し、この構成部材に設けたそれぞれの取付孔１０に、図示しない、連結具、又は差込具等を利用して、ワンタッチで取付ける。
【００４６】
図中１２は発電機で、この発電機１２の入力軸１２００には、前記回転軸７の回転に懸掛するためのベルト、チェーン並びにプーリー、歯車等の連繋手段７００が懸掛等されている。この回転軸７の回転を、発電機１２に伝え発電する構造である。尚、図示しないが、強風時の故障回避として、回転軸７にクラッチ機構を設け、羽根車８の空転を図る。
【００４７】
この第一実施例の風の流れと、風胴２と、羽根車８の回転と旋回等に関して、図３−１〜図３−３を利用して説明する。図３−１は、無風状態における流と、羽根車８の旋回を示した平面模式図であり、羽根車８は、屋根Ａ２の棟Ａ２−２に対してＸ方向を向く（０°）、停止状態であるとともに、屋根Ａ２には、微風があって、このＸ方向に流れる受入風Ｂである。この受入風Ｂを直線で示している。また、図３−２は、屋根Ａ２の棟Ａ２−２に対して、４５°のＹ方向に向き（Ｙ方向に旋回した状態）、このＹ方向の受入風Ｂ２を、風胴２に受入れることを示した平面模式図であり、これにより、羽根車８はＹ方向に旋回した状態である（２２．５°）。この受入風Ｂを４５°の斜線で示している。この受入風Ｂが、羽根車室５に導かれることで、発電が行われ、電気が生成される。この電気の使用は、直接使用する例と、蓄電池等の手段に蓄電される例とかが考えられる。また、図３−３は、屋根Ａ２の棟Ａ２−２に対して、６０°のＺ方向に向き（Ｚ方向に旋回した状態）、このＺ方向の受入風Ｂを、風胴２に受入れることを示した平面模式図であり、これにより、羽根車８はＹ方向に旋回した状態である（４５°）。この受入風Ｂを４５°の斜線で示している。この受入風Ｂが、羽根車室５に導かれることで、発電が行われ、電気が生成される。その他は前述の例に準ずる。
【００４８】
図４−１〜図４−５に示した、第二実施例について説明する。基本的な構造は、第一実施例に準ずるので、その相違する構造を説明する。この第二実施例では、羽根車８は、水車形の標準形状であり、羽根車室５に、羽根車８を設けるに際して、躯体Ａ４と平行する構造とする。そして、この羽根車８の回転軸７に発電機１２を直結する。尚、図４−２−１では、第一ユニットＸに、風の通過を許す、切欠部Ｘ１を適宜設けた構造であって、受入風Ｂを、羽根車８に確実、かつ迅速に誘導する。また、図示しないが、第二ユニットＹに、風の通過を許す、切欠部（図示せず）を適宜設けた構造もあり得る。
【００４９】
図５−１〜図５−２に示した、第三実施例について説明する。基本的な構造は、第一実施例に準ずるので、その相違する構造を説明する。この第三実施例では、羽根車室５に軸流式ファン（羽根車８）を設置した例である。羽根車８を設ける構造は、第二実施例に準ずる。
【００５０】
図６−１〜図６−２に示した、第四実施例について説明する。基本的な構造は、第一実施例に準ずるので、その相違する構造を説明する。この第四実施例では、羽根車室５に軸流式ファン（羽根車８）を設置した例である。羽根車８を設ける構造は、略、第一実施例に準ずる。図中１３はガードを示す。
【００５１】
図７−１〜図７−３に示した、第五実施例について説明する。基本的な構造は、第一実施例に準ずるので、その相違する構造を説明する。この第五実施例では、図７−１の如く、側面視して筒形形状を呈する羽根車室５内を摺動する一方側に設けた風受板２０と、この風受板２０に対峙し、かつこの羽根車室５内の他方側に設けた羽根車８（フライホイール構造の羽根車である）と、この風受板２０と、この羽根車８を連繋するクランク２１と、当該羽根車８の回転軸７に設けた発電機１２で構成する。従って、風受板２０が風胴２からの風を受け（受入風Ｂにより）、この風受板２０が矢印のように後退し（一方側から他方側に向かって移動し）、クランク２１が揺動し、この揺動で羽根車８を回転する。この羽根車８の回転を、回転軸７を介して発電機１２に伝える。この発電機１２の回転で、電気を生成する。
【００５２】
そして、図示しないが、無風時の対策として、温度差を利用して、人工風を生成し、風胴２内に導く構造を採用することで、何時でも、発電できることと、継続性の確保、並びに安定した電力供給と、蓄電効果が期待できる。この温度差の発生は、物理的方法、化学的方法、或いはヒータ・冷気方法等を採用する。
【００５３】
図８は建屋Ａ（躯体Ａ１「壁」屋根Ａ２等）に設けた開閉扉Ａ４であり、風力発電装置の、例えば、羽根車５、羽根車８、又は支持棒７、連繋手段７００等の修理、取換等の出入口を開閉する。
【００５４】
図９は、本発明の目的と、構造の流れ、並びにその特徴を示した説明図であり、開口方向に設けたディフューザー１の孔１ａ１、シャッタ１ａ、衝突板１ｂで、吸込開口（風胴２の開口）における、風雨量調整可能とする構成を利用する際に、その組合せと、この組合せにする特徴を分かり易く説明する図であり、具体的には、風雨の強弱で、その組合せ、並びにディフューザー１の水平・垂直フィン１−１、１−２の動きと、シャッタ１ａの孔１ａ１の形態、並びに衝突板１ｂの角度θの変更、等の各要素を制御し、風雨による弊害解消と、発電の最適化・一定化と効率化等を達成する。また、生活の安定性・安心感を確保し、かつ発電装置故障回避と耐久性の向上とを図る。孔１ａ１の形態、角度θ等の図示は、一例であり、また、各欄（縦軸、及び／又は、横軸）における、それぞれの組合せは、一例であり、限定されない。また、最適な条件設定をする。この説明は、表の中に説明があるので、詳細は割愛する。前記した各組合せと、それぞれの組合せの特徴を図るには、本発明を実施、並びに敷設することで達成可能であり有益であること、又は人類の発展に、広く寄与することは、明らかである。
【００５５】
図１０は本発明の目的達成と、その必要とする要素（構造と、概念）を示しており、前述した風力発電装置・風力発電機を提供すれば、達成可能である。また、その説明は十分に開示されている。
【００５６】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００５７】
Ａ            建屋
Ａ１          躯体
Ａ２          屋根
Ａ２−２      棟
Ａ３          空間
Ａ４          開閉扉
Ｂ            受入風
Ｘ            第一ユニット
Ｙ            第二ユニット
１            ディフューザー
１−１        水平フィン
１−２        垂直フィン
１ａ          シャッタ
１ａ１        孔
１ｂ          衝突板
θ            傾斜角度
１００        第一溝
１００ａ      開放端部
１００ｂ      収斂部
１００ｃ      下側凹部
２００        開口
３００        第二溝
３００ａ      開放端部
３００ｂ      収斂部
３００ｃ      上側凹部
２            風胴
２ａ          軒先方向
２ｂ          棟方向
３            樋
５            羽根車室
６            主軸
７            回転軸
７００        連繋手段
８            羽根車
１２          発電機
１２００      入力軸
２０          風受板
２１          クランク
【図１−１】
2014159799.tif 000003
【図１−２】
2014159799.tif 000004
【図２】
2014159799.tif 000005
【図２−１】
2014159799.tif 000006
【図２−２】
2014159799.tif 000007
【図２−２−１】
2014159799.tif 000008
【図２−３】
2014159799.tif 000009
【図２−３−１】
2014159799.tif 000010
【図２−４】
2014159799.tif 000011
【図２−５】
2014159799.tif 000012
【図２−５−１】
2014159799.tif 000013
【図２−６】
2014159799.tif 000014
【図２−６−１】
2014159799.tif 000015
【図３−１】
2014159799.tif 000016
【図３−２】
2014159799.tif 000017
【図３−３】
2014159799.tif 000018
【図４−１】
2014159799.tif 000019
【図４−２】
2014159799.tif 000020
【図４−２−１】
2014159799.tif 000021
【図４−２−２】
2014159799.tif 000022
【図４−３】
2014159799.tif 000023
【図４−３−１】
2014159799.tif 000024
【図４−４】
2014159799.tif 000025
【図４−５】
2014159799.tif 000026
【図４−５−１】
2014159799.tif 000027
【図５−１】
2014159799.tif 000028
【図５−２】
2014159799.tif 000029
【図６−１】
2014159799.tif 000030
【図６−２】
2014159799.tif 000031
【図７−１】
2014159799.tif 000032
【図７−２】
2014159799.tif 000033
【図７−３】
2014159799.tif 000034
【図８】
2014159799.tif 000035
【図９】
2014159799.tif 000036
【図１０】
2014159799.tif 000037